(57)【要約】      （修正有）【課題】容器の清掃及び容器内の水の平均還元電位の測定を目的とする攪拌を円滑に実現し得ると共に、製造上の作業効率が極めて良好である水素水発生装置を提供する。【解決手段】水を収容する容器３中に、一対又は複数対の電極を備え、電極に対する直流電源を備えている。一対又は複数対の電極が、電極基板１面において上側に突設されずに、電極基板１面方向に沿った状態にて絶縁領域２０を挟んで同心円状にて配置されている円輪形状の全部又は一部を領域範囲として、領域範囲内に接続端子２３を設けたうえで延設されているか、又は領域範囲に対し更に両サイドを直線状とする領域範囲を接続し、かつ領域範囲の先端又はその近傍に接続端子２３を設けたうえで延設されており、電極基板１が容器の底部３１と着脱自在にて結合する。【選択図】図４
0003174569.tif 000002
【実用新案登録請求の範囲】
【請求項１】
水を収容する容器中に、一対又は複数対の電極を備え、当該電極に対する直流電源を備えている水素水発生装置であって、一対又は複数対の電極が、電極基板面において上側に突設されずに、電極基板面方向に沿った状態にて絶縁領域を挟んで同心円状にて配置されている円輪形状の全部又は一部を領域範囲として当該領域範囲内に接続端子を設けたうえで延設されているか、又は前記領域範囲に対し更に両サイドを直線状とする領域範囲を接続し、かつ当該領域範囲の先端又はその近傍に接続端子を設けたうえで延設されており、前記電極基板が前記容器の底部と着脱自在にて結合している水素水発生装置。
【請求項２】
電極基板が容器の底部の全部領域又は一部領域と重畳していることを特徴とする請求項１記載の水素水発生装置。
【請求項３】
電極基板が容器の底部の内側領域を形成し、容器の底部との結合部以外の領域においては、電極基板と容器の底部とが重畳していないことを特徴とする請求項１記載の水素水発生装置。
【請求項４】
電極基板の平面が円形であって、一対の電極の一方が、電極基板の外周における円輪の全部又は一部を領域範囲として延設され、他方が当該円輪と同心円状にて内側に配設されている円輪の全部又は一部を領域範囲として延設されているか、又は前記領域範囲に対し更に両サイドを直線状とする領域範囲を接続して延設されていることを特徴とする請求項１、２、３の何れか一項に記載の水素水発生装置。
【請求項５】
外周における円輪の全部又は一部、及びその内側の円輪の全部又は一部を領域範囲の全部又は一部として延設されている一対の電極の更にその内側において、一対又は複数対の電極を、絶縁領域を挟んで同心円状にて配置されている円輪の全部又は一部を領域範囲として延設されるか、又は前記領域範囲に対し更に両サイドを直線状とする領域範囲を接続して延設されていることを特徴とする請求項４記載の水素水発生装置。
【請求項６】
一対の電極の上側表面が電極基板の表面よりも上下方向において、高いレベルにあることを特徴とする請求項１、２、３、４、５の何れか一項に記載の水素水発生装置。
【請求項７】
電極基板をカバーする蓋を当該電極基板に対し着脱自在にて設置することを特徴とする請求項１、２、３、４、５、６の何れか一項に記載の水素水発生装置。
【考案の詳細な説明】
【技術分野】
【０００１】
本考案は、直流電圧を印加することによって、水素水を発生する装置において、一対の電極を形成する構成単位、及び当該電極の形状を工夫した構成に関するものである。
【背景技術】
【０００２】
水素水発生装置は、必ず少なくとも一対の電極を採用しているが、従来技術においては、例えば特許文献１、２に示すように、当該電極は底部から容器の上側に突設した状態にて略平行に設けられている。
【０００３】
しかしながら、このような電極の突接構造の場合には、水素水発生容器を清掃する場合、更には水素が発生した水の平均電位を測定するために容器内の水を攪拌する場合に、極めて不都合とならざるを得ない。
【０００４】
このような弊害を免れるため、特許文献３においては、一対の電極を底部面に沿って延設した構成が採用されている。
【０００５】
しかしながら、容器の底部において一対の電極を延設することは、製造上極めて煩雑であるにも拘らず、特許文献３においては、この点を改善する技術上の工夫が全く行われていない。
【先行技術文献】
【特許文献】
【０００６】
【特許文献１】特開２００２−４５８６１号公報
【特許文献２】特開２００３−３０５４７３公報
【特許文献３】特開２００５−５１９７４０号公報
【考案の概要】
【考案が解決しようとする課題】
【０００７】
本発明は容器の清掃及び容器内の水の平均還元電位の測定を目的とする攪拌を円滑に実現し得ると共に、製造上の作業効率が極めて良好である水素水発生装置の構成を提供することを課題としている。
【課題を解決するための手段】
【０００８】
上記課題を解決するため、本考案の基本構成は、
（１）水を収容する容器中に、一対又は複数対の電極を備え、当該電極に対する直流電源を備えている水素水発生装置であって、一対又は複数対の電極が、電極基板面において上側に突設されずに、電極基板面方向に沿った状態にて絶縁領域を挟んで同心円状にて配置されている円輪形状の全部又は一部を領域範囲として当該領域範囲内に接続端子を設けたうえで延設されているか、又は前記領域範囲に対し更に両サイドを直線状とする領域範囲を接続し、かつ当該領域範囲の先端又はその近傍に接続端子を設けたうえで延設されており、前記電極基板が前記容器の底部と着脱自在にて結合している水素水発生装置、
（２）電極基板が容器の底部の全部領域又は一部領域と重畳していることを特徴とする前記（１）の水素水発生装置、
（３）電極基板が容器の底部の内側領域を形成し、容器の底部との結合部以外の領域においては、電極基板と容器の底部とが重畳していないことを特徴とする前記（１）の水素水発生装置、
からなる。
【考案の効果】
【０００９】
前記基本構成に基づく本考案においては、清掃及び還元電位の測定を目的とする攪拌作業を円滑になし得るだけでなく、底部と独立した状態にて電極基板にて一対又は複数対の電極を延設した後、底部と結合を行うという作業効率が良好状態にてる水素水発生装置を製造することができる。
【００１０】
のみならず、前記一対又は複数対の電極は、電極表面における絶縁領域を挟んで同心円状の円輪（リング）の全部又は一部の領域範囲をベースとして延設されているが、このような同心円状の円輪を領域範囲とする延設は、陽極と陰極とを同時に延設することを可能としている点において作業効率を更に向上させる要因となっている。
【図面の簡単な説明】
【００１１】
【図１】実施例１の構成を示す平面図である。
【図２】実施例２の構成を示す平面図である。
【図３】実施例３の構成を示す側面図である。
【図４】本考案の基本構成を示しており、（ａ）は、電極基板を底部に配置した場合の側断面図を示しており、（ｂ）、（ｃ）は、電極基板の実施形態に基づく平面図を示す。
【図５】電極表面と基板表面との高さレベルの関係を示す断面図である。
【考案を実施するための形態】
【００１２】
図４は、本考案の基本構成を示しているが、図４（ａ）に示すように、電極基板１は、底部３１とは別の製造工程にて造形及び電極基板１の延設が行われた後に、底部３１と着脱自在の状態にて結合している。
【００１３】
このような電極基板１と底部３１との結合については、基本構成（２）のように、電極基板１が底部３１の全部領域又は一部領域と重畳している構成、及び基本構成（３）のように、底部３１との結合部以外の領域においては、電極基板１が殆ど重畳していない構成の何れをも選択することができる。
【００１４】
既存の水素水発生装置の容器３を採用する場合には、前記基本構成（２）を採用することが好都合であり、既存の水素水発生装置の容器３を使用せずに、改めて当該容器３を製造する場合には、前記（３）の基本構成を選択することが好都合である。
【００１５】
基本構成（１）記載のように、一対の電極を容器の底部３１から独立している電極基板１面において延設することによって、特許文献３の場合のような電極の延設における煩雑な作業を行うことができる。
【００１６】
図４（ｂ）、（ｃ）に示すように、一対又は複数対の電極は、電極基板１面方向に沿って絶縁領域２０を挟んで同心円状にて配置されている円輪形状の全部又は一部を領域範囲として延設されているか、又は前記領域範囲に対し更に両サイドを直線状とする領域範囲を接続して延設されており、前記電極基板１が前記容器の底部３１と着脱自在にて結合している。
【００１７】
接続端子２３が前記のような同心円状の円輪の全部又は一部領域の領域範囲内に設けられる場合には、前記領域範囲に対し更に両サイドを直線状とする領域範囲を接続する必要はない。
【００１８】
これに対し、同心円状の円輪の全部又は一部の領域範囲内に接続端子２３を設けない場合には、前記領域範囲に対し更に両サイドを直線状とする領域範囲を接続し、その先端又はその近傍に接続端子２３を設けることになる。
【００１９】
このように、本考案においては、同心円状の円輪の全部又は一部の領域範囲をベースとして、一対又は複数対の電極を延設していることから、陽極２１及び陰極２２を同時に延設することを可能とし、更なる作業効率の向上に資することになる。
【００２０】
図４（ｂ）の場合には、一対の電極を４個設け、何れも同心円状の円輪の全部を領域範囲としている構成を示し、図４（ｃ）は、陽極２１につき、同心円状の円輪の全部を領域範囲とし陰極２２を同心円状の円輪の一部を領域範囲としたうえで、双方の領域範囲に対し共に直線状とする領域範囲を接続して、当該領域範囲を電極基板１の中央位置に接近するような状態にて延設されており、上記直線状の領域範囲の先端に設けられた端子が先端の位置において向かい合った構成を示している。
【００２１】
言うまでもなく、一対の電極の形状は、図４（ｂ）、（ｃ）に限定される訳ではなく、色々な形状を採用することが可能である。
【００２２】
電極表面と電極基板１表面との高さについては、両極間の良好な導電を考慮し、殆ど大抵の場合、図５に示すように電極表面の高さレベルの方が電極基板１表面の高さレベルよりも高い実施形態が採用され、その結果、効率的な水素水の発生を実現することができる。
【００２３】
電極基板１全体の形状としては、図４（ｂ）、（ｃ）に示すような平面形状である場合に限定される訳ではない。
【００２４】
即ち、中心部に向かって順次隆起した形状、又は中心部に向かって順次下降した形状の何れをも採用可能である。
【００２５】
但し、電極基板１の全体形状に対応して、結合する底部面もまた、同様の設計を行うことが妥当であり、電極基板１が平面形状の場合には底部面も平面形状であり、電極基板１が中央に向かって順次隆起する形状の場合には、底部面もまた同様の形状を採用し、電極基板１が中央に向かって順次下降した形状の場合には、底部もまた同様の形状を採用すると良い。
【００２６】
以下、実施例に即して説明する。
【実施例１】
【００２７】
実施例１は、図１に示すように、電極基板１の平面が円形であって、一対の電極の一方が、電極基板１の外周における円輪の全部又は一部を領域範囲として延設され、他方が当該円輪と同心円状にて内側に配設されている円輪の全部又は一部を領域範囲として延設されているか、又は前記領域範囲に対し更に両サイドを直線状とする領域範囲を接続して延設されていることを特徴としている。
【００２８】
このように、電極基板１の全外周領域である円輪及びその内側に同心円を形成する円輪形状にて電極を延設した場合には、電極基板１において最大領域を形成する一対の電極によって、効率的な水素水の発生に寄与することが可能となる。
【００２９】
尚、図１においては、一対の電極は、同心円状の円輪全部を領域範囲とする場合を示しているが、実施例１は、そのような場合に限定される訳ではなく、例えば図４（ｃ）に示すように、両サイドを直線状とする領域範囲を更に接続し、その先端又はその近傍に接続端子２３を設ける構成もまた当然採用可能である。
【実施例２】
【００３０】
実施例２は、図２に示すように、外周における円輪の全部又は一部、及びその内側の円輪の全部又は一部を領域範囲の全部又は一部として延設されている一対の電極の更にその内側において、一対又は複数対の電極を、絶縁領域２０を挟んで同心円状にて配置されている円輪の全部又は一部を領域範囲として延設されるか、又は前記領域範囲に対し更に両サイドを直線状とする領域範囲を接続して延設されていることを特徴としている。
【００３１】
即ち、実施例１の構成を前提としたうえで、実施例２の場合には、その内側に２個の絶縁領域２０を挟んで同心円状に隣接し合う円輪の全部又は一部をベースとする領域範囲とする一対又は複数対の電極を延設していることを特徴としている。
【００３２】
このような実施例２の場合には、実施例１の場合にまして、電極基板１の面積を有効に利用して水素水の発生に利用することが可能となる。
【実施例３】
【００３３】
実施例３は、図３に示すように、電極基板１をカバーする蓋４を当該電極基板１に対し着脱自在にて設置することを特徴としている。
【００３４】
このような蓋４を設けることによって、水素水発生装置を使用していない場合において、電極基板１の埃及び塵の付着を防止すること、ひいては水素水発生装置を安全な状態にて使用することができる。
【産業上の利用可能性】
【００３５】
本考案は、水素水発生装置において、清掃及び攪拌という使用上の便宜、及び効率的な製造工程の双方にメリットを有していることから、水素水発生装置の全分野において利用可能である。
【符号の説明】
【００３６】
１  電極基板
２０  電極基板における絶縁領域
２１  陽極
２２  陰極
２３  接続端子
３  容器
３１  容器の底部
３２  注出口
３４  取手
４  蓋
【図１】
0003174569.tif 000003
【図２】
0003174569.tif 000004
【図３】
0003174569.tif 000005
【図４】
0003174569.tif 000006
【図５】
0003174569.tif 000007